(57)【要約】      （修正有）【課題】背板の起立動作時、使用者の腹部が圧迫を受けることなく且つ使用者の身体が前方にずれないようにすること。【解決手段】使用者の背部を支える背板部２０を、腰部を支える腰部支持部２６と前記腰部以外の背部たる背中上部を支える背中上部支持部２４とから構成し、前記背板部２０の起立動作中には前記背中上部に対して略面一をなしていた前記腰部支持部２６がせり出し、前記背板に起立動作終了直前には前記腰部支持部２６が再度、前記背中上部支持部２４に対して略面一となるようにした、ベッド装置を構成した。【選択図】図２
2005111126.tif 000002
【特許請求の範囲】
【請求項１】
使用者の背部を支える背板部を、腰部を支える腰部支持部と前記腰部以外の背部たる背中上部を支える背中上部支持部とから構成し、前記背板部の起立動作中には前記背中上部に対して略面一をなしていた前記腰部支持部がせり出し、前記背板に起立動作終了直前には前記腰部支持部が再度、前記背中上部支持部に対して略面一となるようにした、ベッド装置。
【発明の詳細な説明】
【技術分野】
【０００１】
本発明は、ベッド装置に関し、特に使用者の背部を支える背板がフレームに対して起伏動作をなすベッド装置に関する。
【背景技術】
【０００２】
上記したタイプのベッド装置においては、背板の起立動作時、使用者が腹部に圧迫感を受けるという問題点が夙に知られており、この問題点を解決する手段が、例えば特許文献１に明示されている。すなわち、特許文献１が開示するベッド装置においては、かような問題を解消するために、背板の、使用者の腰部に相当する部位を凸状に変形させ、この状態を保持したまま、背板の起立動作を行うようになっている。上記した部位を凸状に変形させることで、使用者の腰部が反った状態となり、使用者の姿勢が前かがみにならず、使用者の腹部が圧迫感を受けないようになっている。
【特許文献１】特開２００２−１７２１４４号公報
【発明の開示】
【発明が解決しようとする課題】
【０００３】
しかしながら、上記したベッド装置においては、背板の、使用者の腰部に相当する部位（腰部背板）を凸状に変形させ、この状態を保持したまま、背板の起立動作を行うようになっているので、使用者が寝た状態（背板が水平のとき）で腰部背板が凸になると腹部が伸ばされ、使用者は苦しくなる。また、背板の起立動作完了時、使用者の腰部が、いわば持ち上がった状態になるので、使用者の身体が前方（足側）にずれるという問題がある。
【０００４】
それ故に、本発明は、かような不具合が惹起されることがない、ベッド装置を提供することを、その課題とする。
【課題を解決するための手段】
【０００５】
上記の課題を解決するために請求項１で講じた技術的手段は、「使用者の背部を支える背板部を、腰部を支える腰部支持部と前記腰部以外の背部たる背中上部を支える背中上部支持部とから構成し、前記背板部の起立動作中には前記背中上部に対して略面一をなしていた前記腰部支持部がせり出し、前記背板に起立動作終了直前には前記腰部支持部が再度、前記背中上部支持部に対して略面一となるようにした、ベッド装置」を構成したことである。  
【発明の効果】
【０００６】
請求項１に記載の発明によれば、背板部の起立動作の終了直前までは、使用者の腰部が反った状態となり、使用者の姿勢が前かがみにならず、使用者の腹部が圧迫感を受けず、また、背板部の起立動作の終了直前には、使用者の腰部の持ち上がり状態が解消されるので、使用者の身体が前方（足側）にずれるということはない。
【発明を実施するための最良の形態】
【０００７】
以下、本発明を実施するための最良の形態を、図面を基に説明する。
【０００８】
図１に示されるように、ベッド装置１０は、フレーム１２を備える。フレーム１２上の右側（図示されない使用者の頭部側）には、背板部２０が、後述するように、起伏可能に配設される。背板部２０の左側（使用者の足側）においては、使用者の臀部を支持する尻部支持板１４が、フレーム１２に固定される。フレーム１２上においては、尻部支持板１４の左側（使用者の足側）には、図示されない脚部支持部が配設される。この脚部支持部は、フレーム１２に固定される平板形式であっても良いし、「ヘ」状に屈曲して膝曲げ可能な形式であっても良い。
【０００９】
背板部２０は、金属枠の形態をなすベース部材２２と、ベース部材２２の頭部側に固定される背中上部支持部２４と、ベース部材２２の足側端部にヒンジ装着された腰部支持部２６とから構成される。腰部支持部２６のヒンジ回動を可能ならしめるために、腰部支持部２６の右側（頭側）端部と背中上部支持部２４の左側（足側）端部との間には、空隙が形成される。
【００１０】
背板部２０のベース部材２２は、リンク機構３０を介して駆動源たるアクチュエータ４０に連係ないしは作用的に関連付けられており、アクチエータ４０の一方向（他方向）駆動により、リンク機構３０がベース部材２２を起立（伏臥）するようになっている。すなわち、アクチュエータ４０はフレーム１２の下側にピン７０により回動可能に配設されており、アクチュエータ４０の本体４２からはロッド４４が出没自在に嵌装されている。ロッド４４の先端部は、リンク３２の下端部にピン４６で枢支されており、リンク３２の上端部はレバー３４の下端部にピン３６により一体的に連結されており、このピン３６は、フレーム１２の側面に回動自在に連結される。レバー３４の上端部には車輪３８が全方向転動可能に保持されており、この車輪３８がベース部材２２を支持している。
【００１１】
腰部支持部２６の下面には、カム体２８が設けられている。カム体２８のカム面は、腰部支持部２６の下面と平行をなすフラット面２８ａと頭部側に傾斜する斜面部２８ｂとから構成されている。
【００１２】
背板部２０のベース部材２２の下面からは、下方向に延びるブラケット５０が連結されている。ブラケット５０の先端部は、バー５２の左側近傍に、ピン５４により枢着されており、この枢着により、バー５２はピン５４を中心として回動可能となっている。バー５２の右端部はピン５６によりは、フレーム１２の側面に枢着されており、この枢着により、バー５２はピン５６を中心として回動可能となっている。バー５２の左端部には、ピン５８によりローラ６０が回転可能に装着されている。
【００１３】
図１に示すような状態、つまりアクチュエータ４０が静止している状態においては、アクチュエータ４０の本体４２及びロッド４４は、レバー３４と平行をなし、リンク３２及びブラケット５０は上下方向に延在して相互に平行をなし、ローラ６０はカム体２８のフラット面２８ａと離間・対峙している。  
図２に示されるように、アクチュエータ４０が駆動されて、ロッド４４が本体４２内に引き込まれると、リンク３２がピン３６を中心に反時計方向に回動する。上記したように、リンク３２はレバー３４と連動する。レバー３４の下端部もピン３６を中心として反時計方向に回動する。しかして、この反時計方向に回動するレバー３４の上端部に転動自在に保持されている車輪３８は背板部２０のベース部材２２の下面を支持しているので、背板部２０のベース部材２２の頭側を起立させる。つまり、ベース部材２２は、その足側を支点として反時計方向に回動する。
【００１４】
上記したように、ベース部材２２と一体のブラケット５０は、バー５２の足側端部近傍に枢着されているので、ベース部材２２及びブラケット５０と一体となった反時計方向への回動により、バー５２はピン５６を中心として時計方向に回動する。バー５２の足側端部に回転可能に装着されたローラ６０は、図１に示す状態では、カム体２８のフラット面２８ａと離間対峙しているが、バー５２の時計方向回動により、ローラ６０がカム体２８のフラット面２８ａと当接する。時計方向回動するバー５２と一体のローラ６０がカム体２８のフラット面２８ａと当接することにより、腰部支持部２６が、反時計回動中のベース部材２２から起立する。この起立した腰部支持部２６が使用者の腰部を反った状態となして、使用者の姿勢が前かがみにならず、使用者の背中が圧迫感を受けない。
【００１５】
しかして、アクチュエータ４０のロッド４４が本体４２に最大限に引き込まれる寸前、つまり背板部の起立動作の終了直前、図３に示されるように、バー５２と一体のローラ６０は、斜面２８ｂとの当接を経て、腰部支持部２６の下面と当接する。これにより、バー５２と一体のローラ６０による、ベース部材２２からの腰部支持部２６の起立は解消され、腰部支持部２６は、最初の状態のように、背中上部支持部２４と略面一となる。つまり、背板部の起立動作の終了直前には、使用者の腰部の持ち上がり状態が解消される、使用者の身体が前方（足側）にずれるということはない。
【図面の簡単な説明】
【００１６】
【図１】本発明に係るベッド装置の概念構造を示す側面図。
【図２】図１に示すベッド装置の、背板起立動作過程における、側面図。
【図３】図１に示すベッド装置の、背板起立動作過程における、側面図。
【符号の説明】
【００１７】
１０  ベッド部
２０  背板部
２２  ベース部材
２４  背中上部支持部
２６  腰部支持部
３０  リンク機構
【図１】
2005111126.tif 000003
【図２】
2005111126.tif 000004
【図３】
2005111126.tif 000005